(57)【特許請求の範囲】
【請求項１】
フレーム（４）の前後に設けた主歯車箱（５）と後輪歯車箱（６）との外側にそれぞれ一対の前輪（７）と一対の後輪（８）を設けた走行車体（１）の該フレーム（４）の後部に支柱（１６）を設け、該支柱（１６）に一端を装着したリンク（１８）にてその後部のヒッチ（１７）を昇降自在に構成し、該ヒッチ（１７）の後に取付枠（２３）を着脱自在に取付けて、その下部に８個の播種用作溝器（２９）及び施肥用作溝器（３７）を固定したフロート（２７）を設けて、支持アーム（２３ａ）を取付枠（２３）から斜前上に伸ばしてその上端に正面から見て右に設けた送風機（３２）が吹き込んだ空気が吹き出されるエアチャンバー（３０）を固定し、該エアチャンバー（３０）から後に突出した４個の吐出管（３１）に種子タンク（３３）に設けた４個の谷及び繰出筒（３５）を連結固定し、４個の吐出管（３１）の後端と８個の播種用作溝器（２９）の上端を途中で二又に分かれる４本の可撓性のチューブ（３６）で連結して播種装置（２）を構成すると共に、走行車体（１）の座席（１３）の後に正面から見て右に設けた送風機（４０）が吹き込んだ空気が吹き出されるエアチャンバー（３８）を固定し、該エアチャンバー（３８）から後に突出した８本の吐出管（３９）に肥料タンク（４１）に設けた８個の谷及び繰出筒（４４）を連結固定し、吐出管（３９）の後端と施肥用作溝器（３７）の上端を可撓性のチューブ（４５）で連結して施肥装置（３）を構成した施肥装置付き湛水直播機において、該施肥装置（３）の肥料タンク（４１）をリンク（１８）にて昇降する播種装置（２）の種子タンク（３１）の前に配置し、肥料タンク（４１）の入口を開閉する蓋（４２）を後部が横軸（４３）の回りに回動するように取付け、肥料タンク（４１）の蓋（４２）を回して肥料タンク（４１）の入口を開くと回った蓋（４２）がリンク（１８）にて下降している播種装置（２）の種子タンク（３３）の上を被う構成とし、チューブ（３６）と播種用作溝器（２９）とを可撓性又は硬質の樹脂で作られた継ぎ管（４７）で連結し、該継ぎ管（４７）の曲がりかどの内側に欠粒センサ（４６）を設けたことを特徴とする施肥装置付き湛水直播機。
【発明の詳細な説明】
【０００１】
【発明の属する技術分野】
この発明は、それぞれのタンクに分けて供給されている種子と肥料を同時に散布する施肥装置付き湛水直播機に関するものである。
【０００２】
【従来の技術】
肥料や種子などの異った粉粒体がそれぞれに分けて供給される一対のタンクが並べて設けられ、散布作業が進んでタンク内の粉粒体が少くなると、上の入口から補充するようになっている。
【０００３】
【発明が解決しようとする課題】
両者の入口が共に開いていると、肥料や種子を別のタンク内に誤って供給するおそれがある。
【０００４】
【課題を解決するための手段】
上記の課題を解決するため、この発明は、フレーム（４）の前後に設けた主歯車箱（５）と後輪歯車箱（６）との外側にそれぞれ一対の前輪（７）と一対の後輪（８）を設けた走行車体（１）の該フレーム（４）の後部に支柱（１６）を設け、該支柱（１６）に一端を装着したリンク（１８）にてその後部のヒッチ（１７）を昇降自在に構成し、該ヒッチ（１７）の後に取付枠（２３）を着脱自在に取付けて、その下部に８個の播種用作溝器（２９）及び施肥用作溝器（３７）を固定したフロート（２７）を設けて、支持アーム（２３ａ）を取付枠（２３）から斜前上に伸ばしてその上端に正面から見て右に設けた送風機（３２）が吹き込んだ空気が吹き出されるエアチャンバー（３０）を固定し、該エアチャンバー（３０）から後に突出した４個の吐出管（３１）に種子タンク（３３）に設けた４個の谷及び繰出筒（３５）を連結固定し、４個の吐出管（３１）の後端と８個の播種用作溝器（２９）の上端を途中で二又に分かれる４本の可撓性のチューブ（３６）で連結して播種装置（２）を構成すると共に、走行車体（１）の座席（１３）の後に正面から見て右に設けた送風機（４０）が吹き込んだ空気が吹き出されるエアチャンバー（３８）を固定し、該エアチャンバー（３８）から後に突出した８本の吐出管（３９）に肥料タンク（４１）に設けた８個の谷及び繰出筒（４４）を連結固定し、吐出管（３９）の後端と施肥用作溝器（３７）の上端を可撓性のチューブ（４５）で連結して施肥装置（３）を構成した施肥装置付き湛水直播機において、該施肥装置（３）の肥料タンク（４１）をリンク（１８）にて昇降する播種装置（２）の種子タンク（３１）の前に配置し、肥料タンク（４１）の入口を開閉する蓋（４２）を後部が横軸（４３）の回りに回動するように取付け、肥料タンク（４１）の蓋（４２）を回して肥料タンク（４１）の入口を開くと回った蓋（４２）がリンク（１８）にて下降している播種装置（２）の種子タンク（３３）の上を被う構成とし、チューブ（３６）と播種用作溝器（２９）とを可撓性又は硬質の樹脂で作られた継ぎ管（４７）で連結し、該継ぎ管（４７）の曲がりかどの内側に欠粒センサ（４６）を設けたことを特徴とする施肥装置付き湛水直播機とした。
【０００５】
【発明の実施の形態】
つぎに、この発明の実施例を説明する。
走行車体１の後部に播種装置２と施肥装置３が装着されて、播種と施肥が同時に行なわれる湛水直播機となっている（図１、図２）。
その走行装置１がつぎのように構成されている。フレーム４の前後に主歯車箱５と後輪歯車箱６が取付けられ、それぞれの外側に一対の前輪７と一対の後輪８が配置されている。エンジン９がフレーム４の上に取付けられ、その動力がベルト１０，１１で主歯車箱５内に導入されたのち、その中の変速機で所望の回転数が選択されて前輪７と後輪８に伝わり、これらが水田の耕盤上で回転して走行車体１が前進するように出来ている。
【０００６】
カバー１２でエンジン９が被われ、その上に座席１３が設けられている。ハンドルフレーム１４が、座席１３の前に設けられ、その上のステアリングホイル１５を操作すると、前輪７が操縦されて走行車体１の進路が変わるように出来ている。
支柱１６がフレーム４の後部から上に伸び、これと後のヒッチ１７が上下で平行なリンク１８で連結されている。昇降シリンダ１９の前部がフレーム４に取付けられ、ピストンロッド２０がこれから斜後上に伸び、上のリンク１８と一体のアーム２１の下端とその突端が接続している。そして、座席１３の右の昇降レバー２２を操作して昇降シリンダ１９に油を供給すると、ピストンロッド２０が突出して、ヒッチ１７が同じ姿勢を保って上昇し、その油をタンクに戻すと、ヒッチ１７が下降するように出来ている。
【０００７】
播種装置２がつぎのように構成されている。取付枠２３がヒッチ１７の後に着脱自在に取付けられ、その下部の後に横長のパイプフレーム２４が設けられている。４本の支持フレーム２５がパイプフレーム２４から等間隔で斜後下に伸び、それぞれの下腹部に配置したアーム２６の後端にフロート２７が横軸２８で取付けられ、走行車体１の前進でそれぞれのフロート２７が横軸２８回りに揺動しながら水田の泥面を滑走するようになっている。
【０００８】
一対の播種用作溝器２９がそれぞれのフロート２７に固定され、上記の滑走で泥面に８個の播種溝をほぼ等間隔に作るように出来ている。
支持アーム２３ａが取付枠２３から斜前上に伸び、横長のパイプ状のエアチャンバー３０がその上端に固定されている。８本の吐出管３１がエアチャンバー３０から後に突出し、その右（正面から見て）に設けた送風機３２が吹き込んだ空気が吹き出されるようになっている。種子タンク３３が吐出管３１の上に配置されている。種子タンク３３は、横長に作られて底に横並びの８個の谷を備え、上の入口が開閉される蓋３４で被われている。それぞれの谷は、繰出筒３５でそれぞれの吐出管３１に連結固定され、その中の図示していないロータがエンジン９の動力で回転すると、種子タンク３３内の種もみが吐出管３１の中間部に連続的に繰り出されるようになっている。対応する吐出管３１の後端と播種用作溝器２９の上端が可撓性のチューブ３６で連結され、吐出管３１内に繰り出された種もみがエアチャンバー３０から吹き出される前記の空気で送られて、前記の播種溝内に散布されるようになっている。それぞれのフロート２７の下面に埋戻具が設けられ、フロート２７の滑走で土を掻き寄せて、種もみが散布された播種溝を埋め戻すようにすることができる。なお、本発明では、吐出管３１と谷をそれぞれ４個で構成し、前端がそれぞれの吐出管３１に取付けられた４本のチューブ３６を途中で２又に分けて８本の端末とし、それぞれの端末を８個の播種用作溝器２９の１つに連結して構成する。
【０００９】
施肥装置３がつぎのように構成されている。それぞれのフロート２７に、播種用作溝器２９の内側で一対の施肥用作溝器３７が固定され、その滑走で泥面に８条の施肥溝を作るようになっている。横長のパイプ状のエアチャンバー３８が座席１３の後で走行車体１に固定されている。８本の吐出管３９がエアチャンバー３８から後に突出し、その右に設けた送風機４０が吹き込んだ空気が吹き出されるようになっている。肥料タンク４１が種子タンク３１の前で吐出管３９の上に配置されている。この肥料タンク４１は、横長に作られて底に横並びの８個の谷を備えている。また、この肥料タンク４１は、上の入口が蓋４２で被われ、その蓋４２は、後部が横軸４３の回りに回動するように肥料タンク４１に取付けられている。そして、その蓋４２を後に向けて回すと、肥料タンク４１の入口が開いて種子タンク３３を被う（図１、図２の鎖線）ようになっている。
【００１０】
上記のそれぞれの谷と吐出管３９が繰出筒４４で連結固定され、その中のロータ（図示していない）がエンジン９の動力で回転すると、肥料タンク４１内の粒状又は粉状の肥料が吐出管３９の中間部に連続的に繰り出されるようになっている。対応する吐出管３９の後端と施肥用の作溝機３７の上端が可撓性のチューブ４５で連結され、吐出管３９内に繰り出された肥料がエアチャンバー３８から吹き出される空気で送られて、前記の施肥溝内に散布されるようになっている。肥料が散布された施肥溝は、前記と同様に埋め戻される。
【００１１】
以上のように、走行車体１の前進で種もみと肥料が同時に泥土内に散布されて湛水直播が行われる。この作業が進んで肥料タンク４１内の肥料が少なくなる（又は無くなる）と、走行車体１の前進を止め、蓋４２を後に回してその上の入口を開き、予備の肥料をその中に入れて作業を開始する。また、種子タンク３３内の種もみが少なく（又は無く）なったときも同様である。ここに、蓋４２を回して肥料タンク４１の入口を開くと、その蓋４２は、種子タンク３３の上に乗り掛ってその上の入口を被っているので、開かれた入口は、前方の一つとなり、誤って種子タンク３３に肥料を供給することがない。また、蓋３４を持ち上げて種子タンク３３の上の入口を開くときには、蓋４２が前に回って肥料タンク４１の入口を閉じているので、種もみを肥料タンク４１内に補充するおそれも皆無である。
【００１２】
なお、図１、図２の構成においてヒッチ１７を上昇させると、種子タンク３３が上昇する。すなわち、肥料タンク４１に肥料を入れて蓋４２の戻しを忘れていても、湛水直播機が枕地に来て旋回に当ってヒッチ１７（播種装置２）を上昇させると、種子タンク３３がその蓋４２を押し回して肥料タンク４１の入口が自動的に閉ざされる。
【００１３】
播種用作溝器２９とチューブ３６の間に欠粒センサ４６を図３のように設けることが出来る。播種用作溝器２９が後が開放された断面Ｕ字形に形成されている。継ぎ管４７を介してチューブ３６と播種用作溝器２９が連結されている。この継ぎ管４７は、可撓性又は硬質の樹脂で、横から見て、上に伸びたのちに前に曲った形状に作られ、その曲りかどの内側に欠粒センサ４６が取付けられている。そして、播種用作溝器２９や継ぎ管４７の下端に、水分で種もみが付着し、その堆積が進んで継ぎ管４７の孔に種もみが詰まると、欠粒センサ４６が作動してオペレータにその旨を知らせるようになっている。この構成によると欠粒センサ４６が継ぎ管４７の曲りかどの内側に設けられているので、空気で吹き出されている種もみが曲りかどの外側に沿って流れて、この欠粒センサ４６に激しく衝突するおそれが少く、その損傷が軽減される。従って、この構成は、粒状の肥料を散布する施肥用作溝器３７にも利用できることは多言を要しないところである。
【００１４】
図４、図５には、別の散布機を示している。すなわち、前記と同様の走行車体１に、粒粉体の散布装置５０が装着されている。その散布装置５０がつぎのように構成されている。
取付枠５１がヒッチ１７に着脱自在に設けられ、その後に機枠５２が固定されている。長短の３本のパイプ５３ａ，５３ｂ，５３ｃが中央を揃えてまとめて機枠５２に横長に固定されてビーム５３となっている。それぞれのパイプ５３ａ，５３ｂ，５３ｃに下向に取付けたノズル５４が等間隔に配置されている。
【００１５】
横に長いパイプ状のエアチャンバー５５が支柱１６の上に固定され、これから６本の吐出管５６が後に突出している。送風機５７が機枠５２に設けられ、その吐出口とエアチャンバー５５の右（正面から見て）端がホース５８で連結され、送風機５７からエアチャンバー５５に吹き込まれた空気がそれぞれの吐出管５６から吹き出されるように出来ている。
【００１６】
横に長いタンク５９が吐出管５６の上に配置されている。このタンク５９は、底が横並びの６個の谷に形成され、それぞれの谷と吐出管５６が繰出筒６０で連結されて、繰出筒６０内のロータ（図示していない）がエンジン９の動力で回転すると、タンク５９内の肥料や農薬がそれぞれの吐出管５６の中間部に連続して繰り出されるようになっている。チューブ６１がそれぞれの吐出管５６の後端から後に伸び、それぞれが前記の２個のノズル５４に達している。そして、走行車体１が圃場を前進しているとき、吐出管５６に繰り出された前記の肥料や農薬が、空気でチューブ６１内を送られてそれぞれのノズル５４から圃場の表面に広い巾で散布されるように出来ている。
【００１７】
一対のマーカノズル６２がパイプ５３ａの外端に設けられている。タンク５９の左にタンク６３が取付けられ、赤や黄などに着色された作物に無害の液体がこれに入っている。その液体は、下の繰出バルブ６４からチューブ６５を通って前記のマーカノズル６２に達するようになっている。そして、スイッチ６６を「ＯＦＦ」にすると、制御装置６７の出力でＰＴＯクラッチ６８が「切り」になって前記のロータの回転が停止するとともに、繰出バルブ６４が液体を繰り出し、その液体がマーカノズル６２から圃場又は作物の上に数秒間噴出するようになっている。なお、マーカノズル６２は、外端のノズル５４が肥料や農薬を圃場に散布した外端に液体を噴出するように配置されている。
【００１８】
この種の散布機は、ビーム５３が走行車体１の横巾よりも著しく長く構成されているので、横端のノズル５４が散布した肥料や農薬の外端の位置がオペレータに分かりにくい。そのため、枕地でＵターンしたのちの作業の再開時に散布機を位置させる場所が判明しにくく、上記の外端の位置にポールを立てるなどの作業を行っていた。
【００１９】
これに比較して、上記の構成によると、散布機が枕地に到達して肥料などの散布を停止すると、マーカノズル６２から着色された液体が、その散布巾の外端部に噴出されるから、往路で散布機が散布した肥料などの横巾が明確になる。従って、Ｕターンを終えて復路において散布機を位置させる場所が容易に定められる。なお、液体に代えて、粉粒体を用いることもできる。
【００２０】
【効果】
この発明によると、走行車体１に対してリンク１８にて昇降自在に設けたヒッチ１７の後に取付枠２３を着脱自在に取付けて、その下部に８個の播種用作溝器２９及び施肥用作溝器３７を固定したフロート２７を設けて、支持アーム２３ａを取付枠２３から斜前上に伸ばしてその上端に正面から見て右に設けた送風機３２が吹き込んだ空気が吹き出されるエアチャンバー３０を固定し、該エアチャンバー３０から後に突出した４個の吐出管３１に種子タンク３３に設けた４個の谷及び繰出筒３５を連結固定し、４個の吐出管３１の後端と８個の播種用作溝器２９の上端を途中で二又に分かれる４本の可撓性のチューブ３６で連結して播種装置２を構成し、走行車体１の座席１３の後に正面から見て右に設けた送風機４０が吹き込んだ空気が吹き出されるエアチャンバー３８を固定し、該エアチャンバー３８から後に突出した８本の吐出管３９に肥料タンク４１に設けた８個の谷及び繰出筒４４を連結固定し、吐出管３９の後端と施肥用作溝器３７の上端を可撓性のチューブ４５で連結して施肥装置３を構成すると共に、施肥装置３の肥料タンク４１をリンク１８にて昇降する播種装置２の種子タンク３１の前に配置し、肥料タンク４１の入口を開閉する蓋４２を後部が横軸４３の回りに回動するように取付け、肥料タンク４１の蓋４２を回して肥料タンク４１の入口を開くと回った蓋４２がリンク１８にて下降している播種装置２の種子タンク３３の上を被う構成とし、チューブ３６と播種用作溝器２９とを可撓性又は硬質の樹脂で作られた継ぎ管４７で連結し、該継ぎ管４７の曲がりかどの内側に欠粒センサ４６を設けたので、走行車体１の前進で種もみと肥料が同時に泥土内に散布されて湛水直播が行われる。この作業が進んで肥料タンク４１内の肥料が少なくなると、走行車体１の前進を止め、肥料タンク４１の蓋４２を後に回してその上の入口を開き、予備の肥料をその中に入れて作業を開始する。その時、蓋４２を後に回して肥料タンク４１の入口を開くと、その蓋４２は、種子タンク３３の上を被うので、開かれた入口は、前方の肥料タンク４１の一つとなり、誤って種子タンク３３に肥料を供給することがない。また、種子タンク３３の蓋を持ち上げて種子タンク３３の上の入口を開くときには、蓋４２が前に回って肥料タンク４１の入口を閉じるので、種もみを肥料タンク４１内に補充するおそれもない。
【００２１】
更に、ヒッチ１７を上昇させると種子タンク３３が上昇するので、肥料タンク４１に肥料を入れて蓋４２の戻しを忘れていても、播種装置２を上昇させると、種子タンク３３が肥料タンク４１の蓋４２を押し回して肥料タンク４１の入口が自動的に閉ざされる。従って、タンクに異った粉粒体を供給する誤動作が軽減される。
【００２２】
また、欠粒センサ４６が継ぎ管４７の曲がりかどの内側に設けられているので、空気で吹き出されている種もみが曲りかどの外側に沿って流れて、この欠粒センサ４６に激しく衝突するおそれが少なく、その損傷が軽減される。
【図面の簡単な説明】
【図１】この発明を施した湛水直播機の左側面図
【図２】その平面図
【図３】その一部の拡大した切断側面図
【図４】他の散布機の左側面図
【図５】その要部の配置図
【符号の説明】
１  走行車体
２  播種装置
３  施肥装置
４  フレーム
５  主歯車箱
６  後輪歯車箱
７  前輪
８  後輪
１３  座席
１６  支柱
１７  ヒッチ
１８  リンク
２３  取付枠
２３ａ  支持アーム
２７  フロート
２９  播種用作溝器
３０  エアチャンバー
３１  吐出管
３２  送風機
３３  種子タンク
３５  繰出筒
３６  チューブ
３７  施肥用作溝器
３８  エアチャンバー
３９  吐出管
４０  送風機
４１  肥料タンク
４２  蓋
４３  横軸
４４  繰出筒
４５  チューブ
４６  欠粒センサ
４７  継ぎ管
【図１】
0003968486.tif 000002
【図２】
0003968486.tif 000003
【図３】
0003968486.tif 000004
【図４】
0003968486.tif 000005
【図５】
0003968486.tif 000006